(57)【要約】【課題】ケーシングの外面において結露を防止する。【解決手段】空調装置（1）には、ケーシング（10）内に、冷媒回路（30）が収容されている。そして、ケーシング（10）のパネル（40）には、ケーシング（10）の内面を構成する内壁部（41）とケーシング（10）の外面を構成する外壁部（42）とが設けられ、内壁部（41）と外壁部（42）との間に断熱空間（45）が形成されている。【選択図】図５
2014129981.tif 000002
【特許請求の範囲】
【請求項１】
フレーム（12）と該フレーム（12）に固定されたパネル（40）とを有するケーシング（10）と、
該ケーシング（10）に収容され、冷媒回路（30）に接続された蒸発器（34）とを備えた空調装置であって、
上記ケーシング（10）のパネル（40）は、内壁部（41）と該内壁部（41）に対向する外壁部（42）とを有し、上記内壁部（41）と上記外壁部（42）との間に断熱空間（45）が形成されている
ことを特徴とする空調装置。
【請求項２】
請求項１において、
上記パネル（40）は、ネジ（43）によって上記フレーム（12）に固定され、
該ネジ（43）の頭部が、上記外壁部（42）に形成された挿入孔（48）から挿入されて上記断熱空間（45）に収容されている
ことを特徴とする空調装置。
【請求項３】
請求項２において、
上記パネル（40）は、上記内壁部（41）と上記外壁部（42）とが別体に形成され、
上記外壁部（42）は、上記挿入孔（48）に対向する位置に、上記内壁部（41）に重なるように折り曲げて形成された取付部（42c）を有し、
上記内壁部（41）と上記外壁部（42）の取付部（42c）とが、上記ネジ（43）によって上記フレーム（12）にまとめて固定されている
ことを特徴とする空調装置。
【請求項４】
請求項１乃至３の何れか１項において、
上記パネル（40）の断熱空間（45）には、断熱材（49）が収容されている
ことを特徴とする空調装置。
【請求項５】
請求項１乃至４の何れか１項において、
上記パネル（40）の断熱空間（45）には、上記内壁部（41）で結露した水を回収する回収部（51）が形成されている
ことを特徴とする空調装置。
【発明の詳細な説明】
【技術分野】
【０００１】
本発明は、室内を空調する空調装置に関し、特に、ケーシングの外面における結露防止策に係るものである。
【背景技術】
【０００２】
従来より、室内を空調する空調装置が知られている。例えば、特許文献１に開示の空調装置は、ケーシングと、圧縮機、凝縮器、膨張弁、及び蒸発器が順に接続された冷媒回路と、ファンとを備えている。ケーシングの内部は、機械室とファン室とに区画され、機械室には圧縮機と凝縮器と膨張弁とが収容され、ファン室には蒸発器とファンとが収容されている。この空調装置では、ファンを駆動させると、室外空気がダクトを介してファン室へと送られ、蒸発器へ流入する。蒸発器では、室外空気と冷媒とが熱交換し、冷媒が蒸発することによって室外空気が冷却される。そして、蒸発器で冷却された空気は、ファン室からダクトを介して室内（この場合、船室）へと送られ、室内が冷房される。
【先行技術文献】
【特許文献】
【０００３】
【特許文献１】特開２００８−８５４３号公報
【発明の概要】
【発明が解決しようとする課題】
【０００４】
従来の空調装置では、通常、図９に示すように、支柱となるフレーム（101）にパネル（102）を取り付けたケーシング構造が採用されている。そして、ケーシング（100）内（ファン室内）の冷熱が直接パネル（102）へ伝達されてパネル（102）の外面が結露しないように、パネル（102）の内面に断熱材（103）が貼り付けられている。
【０００５】
しかし、従来の空調装置では、高温多湿の地域を航行中等、結露が非常に起き易い環境下において、上記断熱材（103）の断熱能力が不足してパネル（102）の外面が結露する場合があった。そして、その場合に、パネル（102）の外面の結露水が垂れて電装品箱内へと浸入し、電装部品がショートする等の問題が生じていた。
【０００６】
本発明は、このような問題点に鑑みてなされたものであり、その目的は、結露が非常に起き易い環境下においても、ケーシングのパネルの外面の結露を防止することにある。
【課題を解決するための手段】
【０００７】
第１の発明は、フレーム（12）と該フレーム（12）に固定されたパネル（40）とを有するケーシング（10）と、該ケーシング（10）に収容され、冷媒回路（30）に接続された蒸発器（34）とを備えた空調装置を対象としている。そして、上記ケーシング（10）のパネル（40）は、内壁部（41）と該内壁部（41）に対向する外壁部（42）とを有し、上記内壁部（41）と上記外壁部（42）との間に断熱空間（45）が形成されているものである。
【０００８】
上記第１の発明では、パネル（40）の内壁部（41）と外壁部（42）との間に、断熱空間（45）が形成されている。そのため、ケーシング（10）内の冷熱が内壁部（41）へ伝達されても、該内壁部（41）から外壁部（42）への伝熱が抑えられ、外壁部（42）の外面、つまり、パネル（40）の外面の結露が防止される。
【０００９】
第２の発明は、上記第１の発明において、上記パネル（40）は、ネジ（43）によって上記フレーム（12）に固定され、該ネジ（43）の頭部が、上記外壁部（42）に形成された挿入孔（48）から挿入されて上記断熱空間（45）に収容されているものである。
【００１０】
上記第２の発明では、パネル（40）をフレーム（12）に固定するネジ（43）の頭部がパネル（40）の断熱空間（45）に収容されている。そのため、ケーシング（10）内の冷熱がネジ（43）に伝達されて、ネジ（43）の頭部が結露しても、その結露水は断熱空間（45）内へ流出し、外壁部（42）の外面（パネル（40）の外面）へ流出することがなくなる。
【００１１】
第３の発明は、上記第２の発明において、上記パネル（40）は、上記内壁部（41）と上記外壁部（42）とが別体に形成され、上記外壁部（42）は、上記挿入孔（48）に対向する位置に、上記内壁部（41）に重なるように折り曲げて形成された取付部（42c）を有し、上記内壁部（41）と上記外壁部（42）の取付部（42c）とが、上記ネジ（43）によって上記フレーム（12）にまとめて固定されているものである。
【００１２】
上記第３の発明では、内壁部（41）と外壁部（42）とが別体に形成されているため、一体に形成される場合に比べて、内壁部（41）と外壁部（42）との間に断熱空間（45）が形成し易くなる。そして、内壁部（41）と外壁部（42）とが上記ネジ（43）によってまとめて固定されるため、パネル（40）の取付が容易になる。
【００１３】
第４の発明は、上記第１乃至第３の何れか１の発明において、上記パネル（40）の断熱空間（45）には、断熱材（49）が収容されている。
【００１４】
上記第４の発明では、パネル（40）の断熱空間（45）に断熱材（49）が収容されているため、内壁部（41）と外壁部（42）との間の断熱能力が高くなる。
【００１５】
また、従来のように、パネル（40）の内面に断熱材を設けると、ファン（35）の吸引力によって断熱材が剥れ易くなり、断熱材が剥がれて断熱能力が低下するだけでなく、剥がれた断熱材をファン（35）が吸い込んで破損する虞があった。しかし、上記第４の発明では、断熱材（49）が断熱空間（45）に収容されてファン（35）の吸引力を受けないため、断熱材（49）が剥れる事態が回避される。
【００１６】
第５の発明は、上記第１乃至第４の何れか１の発明において、上記パネル（40）の断熱空間（45）には、上記内壁部（41）で結露した水を回収する回収部（51）が形成されているものである。
【００１７】
上記第５の発明では、ケーシング（10）内の冷熱が内壁部（41）へ伝達されて、内壁部（41）の断熱空間（45）側の面が結露しても、その結露水が回収部（51）で回収されるため、該結露水の流出が抑えられる。
【発明の効果】
【００１８】
本発明によれば、ケーシング（10）のパネル（40）において、内壁部（41）と外壁部（42）との間に断熱空間（45）を形成することで、内壁部（41）と外壁部（42）とを断熱するようにした。これにより、ケーシング（10）内の冷熱が内壁部（41）へ伝達されても、該内壁部（41）から外壁部（42）への伝熱を抑えて、外壁部（42）の外面（パネル（40）の外面）の結露を防止することができる。その結果、例えば、パネル（40）の外面で結露した水が電装品箱内へ浸入して電装部品がショートするのを防ぐことができる。
【００１９】
第２の発明によれば、パネル（40）をフレーム（12）にネジ（43）で固定し、そのネジ（43）の頭部をパネル（40）の断熱空間（45）に収容するようにした。これにより、ケーシング（10）内の冷熱がネジ（43）に伝達されてネジ（43）の頭部が結露しても、その結露水が外壁部（42）の外面（パネル（40）の外面）へ流出するのを防ぐことができる。
【００２０】
第３の発明によれば、内壁部（41）と外壁部（42）とを別体に形成し、該内壁部（41）と外壁部（42）とをネジ（43）でまとめて固定するようにした。これにより、内壁部（41）と外壁部（42）との間に断熱空間（45）を形成し易くしつつ、パネル（40）の取付性を向上させることができる。
【００２１】
第４の発明によれば、パネル（40）の断熱空間（45）に断熱材（49）を収容するようにした。これにより、内壁部（41）と外壁部（42）との間の断熱能力を高くして、外壁部（42）の外面（パネル（40）の外面）の結露をより確実に防止することができる。
【００２２】
また、従来のように、パネル（40）の内面に断熱材を設けると、ファン（35）の吸引力によって断熱材が剥離する虞があった。しかし、第４の発明では、断熱材（49）をパネル（40）の内面に設ける代わりに断熱空間（45）に設けることによって、断熱材（49）の剥離を回避することができ、断熱材（49）の剥離による断熱能力の低下とファン（35）の破損を防止することができる。
【００２３】
第５の発明によれば、断熱空間（45）内（特に、内壁部（41）の断熱空間（45）側の面）で結露した水を回収部（51）で回収するようにした。これにより、断熱空間（45）内で結露した水が流れ落ちてパネル（40）の外へ流出するのを防ぐことができる。
【図面の簡単な説明】
【００２４】
【図１】図１は、実施形態に係る空調装置の概略構成図である。
【図２】図２は、図１において、ケーシングのパネルを外した状態を示す図である。
【図３】図３は、実施形態に係る空調装置の概略断面図である。
【図４】図４は、実施形態に係る空調装置の配管系統図である。
【図５】図５は、実施形態に係るパネルの横断面の要部拡大図である。
【図６】図６は、実施形態に係るパネルの斜視図である。
【図７】図７は、実施形態の変形例に係るパネルの横断面の要部拡大図である。
【図８】図８は、その他の実施形態に係るパネルの横断面の要部拡大図である。
【図９】図９は、従来のパネルの横断面の要部拡大図である。
【発明を実施するための形態】
【００２５】
以下、本発明の実施形態を図面に基づいて詳細に説明する。なお、以下の実施形態は、本質的に好ましい例示であって、本発明、その適用物、あるいはその用途の範囲を制限することを意図するものではない。
【００２６】
本発明の実施形態の空調装置（1）は、例えば、船舶のデッキに載置され、室外空気を吸い込んで冷却し、冷却された空気を室内（船室）へ供給するものである。図１及び図２に示すように、空調装置（1）は、ケーシング（10）と、圧縮機ユニット（31）と、凝縮器（32）と、膨張弁（33）（図示省略）と、蒸発器（34）と、ファン（35）とを備えている。
【００２７】
ケーシング（10）は、略直方体形状に形成され、基台（11）と、該基台（11）の上に組まれたフレーム（12）と、該フレーム（12）に固定されたパネル（40）とを備えている。尚、パネル（40）の構造については、後で詳述する。
【００２８】
図３に示すように、ケーシング（10）の前面には、電装品箱（15）が取り付けられている。また、ケーシング（10）の後面には、概ね全面に亘って吸入口（16）が開口し、その吸入口（16）には、室外空気を空調装置（1）内へ吸い込むための吸込ダクト（18）が接続されている。また、ケーシング（10）の上面には、中央付近に吹出口（17）が開口し、その吹出口（17）には、空調装置（1）で冷却された空気を室内（船室）へ供給するための給気ダクト（19）が接続されている。
【００２９】
ケーシング（10）の内部は、仕切板（20）によって概ね上下に区画されている。具体的に、仕切板（20）よりも上側には、上記吸入口（16）及び吹出口（17）を有するファン室（21）が形成され、下側には機械室（22）が形成されている。ファン室（21）には、蒸発器（34）とファン（35）とが配置され、機械室（22）には、圧縮機ユニット（31）と凝縮器（32）と膨張弁（33）（図示省略）とが配置されている。
【００３０】
図４に示すように、圧縮機ユニット（31）と、凝縮器（32）と、膨張弁（33）と、蒸発器（34）とは、配管によって順に接続され、冷媒が循環して冷凍サイクルを行う冷媒回路（30）が形成されている。
【００３１】
圧縮機ユニット（31）は、冷媒回路（30）の冷媒を圧縮するものであり、４つの圧縮機（31a〜31d）を備えている。これら４つの圧縮機（31a〜31d）は、いわゆる全密閉型のスクロール圧縮機であって、互いに並列に接続された状態で、吐出側が凝縮器（32）に接続され、吸入側が蒸発器（34）に接続されている。尚、圧縮機ユニット（31）の圧縮機（31a〜31d）の台数は、単なる一例であり、これに限定されるものではない。
【００３２】
凝縮器（32）は、いわゆるシェル・アンド・チューブ型の水熱交換器であって、供給された水（例えば、海水）と冷媒とが熱交換し、該冷媒が凝縮するように構成されている。
【００３３】
膨張弁（33）は、開度可変の電子膨張弁によって構成されている。
【００３４】
蒸発器（34）は、いわゆるクロスフィン型のフィン・アンド・チューブ熱交換器であって、ファン室（21）内において、吸入口（16）を覆うように、ケーシング（10）に取り付けられている。この蒸発器（34）は、吸入口（16）から吸い込まれた室外空気と冷媒とが熱交換し、冷媒が蒸発する一方、室外空気が冷却されるように構成されている。
【００３５】
図２及び図３に示すように、ファン（35）は、両吸込多翼式の送風機であって、室外空気を吸込ダクト（18）からファン室（21）内へ吸い込んで、蒸発器（34）へ流入させ、蒸発器（34）で冷却された空気を給気ダクト（19）を介して室内（船室）へ送るものである。このファン（35）は、ファンケーシング（35a）と羽根車（35b）とを備えている。
【００３６】
ファンケーシング（35a）は、略渦巻状に形成され、中央部に吸込口（35c）、上部に吹出口（35d）がそれぞれ形成されている。ファンケーシング（35a）の吸込口（35c）は、ファン室（21）内に開口し、ファンケーシング（35a）の吹出口（35d）はケーシング（10）の吹出口（17）に接続されている。
【００３７】
羽根車（35b）は、ファンケーシング（35a）内に収容されている。この羽根車（35b）は、その回転軸がベルト（36）を介してファンモータ（37）に接続されており、ファンモータ（37）の駆動によって回転するように構成されている（図２参照）。
【００３８】
〈ケーシングのパネルの構成〉
次に、ケーシング（10）のパネル（40）の詳細な構造について説明する。ここでは、代表して、左側面のパネル（40a）の構造について、図５を参照しながら説明する。このパネル（40a）は、内壁部（41）と外壁部（42）とネジ（43）とを備えている。
【００３９】
内壁部（41）は、パネル（40）の内面を構成するものである。この内壁部（41）は、平板状に形成された金属製の板材であって、断熱材（44）を間に挟んだ状態で、フレーム（12）の外面に接している。
【００４０】
外壁部（42）は、パネル（40）の外面を構成するものである。この外壁部（42）は、内壁部（41）と別体に形成され、該内壁部（41）の外方に配置されている。この外壁部（42）は、金属製の板材を折り曲げて形成され、本体部（42a）とスペーサ部（42b）と取付部（42c）とを有している。
【００４１】
本体部（42a）は、平板状で内壁部（41）と概ね同じ輪郭に形成され、内壁部（41）に対向している。
【００４２】
スペーサ部（42b）は、外壁部（42）の本体部（42a）と内壁部（41）との間に、隙間（本発明の断熱空間（45））を形成するためのものである。このスペーサ部（42b）は、本体部（42a）の前端及び後端を折り目として、内側（内壁部（41）側）へ９０度折り曲げて形成され、内外方向に延びている。
【００４３】
取付部（42c）は、外壁部（42）を取り付けるためのものである。この取付部（42c）は、スペーサ部（42b）の内端を折り目として、内壁部（41）に重なるように、本体部（42a）側へ９０度折り曲げて形成されている。取付部（42c）と内壁部（41）との間には、断熱材（46）が挟まれている。
【００４４】
ネジ（43）は、頭部（43a）とネジ部（43b）を有する雄ネジであって、内壁部（41）と外壁部（42）の取付部（42c）とをフレーム（12）にまとめて固定するものである。このネジ（43）を固定する部分（以下、固定部（47）と言う）には、本体部（42a）において、取付部（42c）に対向する位置に、ネジ（43）の頭部（43a）が挿入可能な挿入孔（48）が形成されている。さらに、取付部（42c）、断熱材（46）、内壁部（41）、及び断熱材（44）において、挿入孔（48）に対向する位置には、それぞれネジ部（43b）を挿入する挿入孔が形成され、さらに、フレーム（12）には、ネジ部（43b）に螺合するネジ孔が形成されている。
【００４５】
固定部（47）では、ネジ（43）を挿入孔（48）から挿入してフレーム（12）のネジ孔に螺合させると、内壁部（41）と外壁部（42）の取付部（42c）がまとめてフレーム（12）に固定される。そして、ネジ（43）の頭部（43a）は、外壁部（42）と内壁部（41）との間の断熱空間（45）に収容される。
【００４６】
また、パネル（40）には、図６に示すように、断熱空間（45）内（特に、内壁部（41）の断熱空間（45）側の面）で結露した水を回収する回収部（51）が形成されている。この回収部（51）は、外壁部（42）の下端部を内側へ折り曲げることによって、断熱空間（45）の下端を塞ぐように形成されている。
【００４７】
−運転動作−
次に、この空調装置（1）の運転動作について説明する。
【００４８】
図４に示すように、圧縮機ユニット（31）の圧縮機（31a〜31d）を起動すると、冷媒は矢印の方向に流れ、圧縮機（31a〜31d）で圧縮された高温高圧の冷媒が凝縮器（32）へ流入する。
【００４９】
凝縮器（32）では、冷媒が供給された水（例えば、海水）と熱交換し、凝縮する。そして、凝縮した冷媒は、凝縮器（32）から膨張弁（33）へ送られて減圧され、その後、蒸発器（34）へと流入する。
【００５０】
蒸発器（34）では、冷媒と吸込ダクト（18）からファン室（21）内へ流入した室外空気とが熱交換し、冷媒は吸熱して蒸発する一方、室外空気は冷却される。そして、蒸発した冷媒は、蒸発器（34）から圧縮機ユニット（31）の圧縮機（31a〜31d）へと送られ、圧縮機（31a〜31d）で再び圧縮される。一方、冷却された室外空気は、ファン室（21）内のファン（35）によって、ファン室（21）から給気ダクト（19）を介して室内（船室）へと送られ、船室内が冷房される。
【００５１】
空調装置（1）では、運転動作中、蒸発器（34）で室外空気が冷却されると、ファン室（21）内が冷却されて、その冷熱がパネル（40）へ伝達されるため、パネル（40）の外面が結露する虞がある。
【００５２】
しかし、本実施形態では、パネル（40）の内壁部（41）と外壁部（42）との間に断熱空間（45）が形成されているため、ケーシング（10）内の冷熱が内壁部（41）へ伝達されても、その内壁部（41）から外壁部（42）への伝熱が抑えられ、外壁部（42）の外面、つまり、パネル（40）の外面の結露が防止される。
【００５３】
−実施形態の効果−
本実施形態では、ケーシング（10）のパネル（40）において、内壁部（41）と外壁部（42）との間に断熱空間（45）を形成して、内壁部（41）と外壁部（42）とを断熱するようにした。これにより、ケーシング（10）内の冷熱が内壁部（41）へ伝達されても、その内壁部（41）から外壁部（42）への伝熱を抑えて、外壁部（42）の外面（パネル（40）の外面）の結露を防止することができる。その結果、例えば、パネル（40）の外面で結露した水が電装品箱（15）内へ浸入して電装部品がショートするのを防止することができる。
【００５４】
また、本実施形態では、内壁部（41）と外壁部（42）の取付部（42c）との間に、断熱材（46）を挟むようにした。これにより、内壁部（41）から外壁部（42）への伝熱を一層抑えることができ、外壁部（42）の外面（パネル（40）の外面）の結露をより確実に防止することができる。
【００５５】
また、本実施形態では、パネル（40）をフレーム（12）に固定するためのネジ（43）の頭部を、パネル（40）の断熱空間（45）に収容するようにした。これにより、ケーシング（10）内の冷熱がネジ（43）に伝達されてネジ（43）の頭部が結露しても、その結露水が外壁部（42）の外面（パネル（40）の外面）へ流出するのを防止することができる。
【００５６】
また、本実施形態では、内壁部（41）と外壁部（42）とを別体に形成するようにした。これにより、一体に形成する場合に比べて、内壁部（41）と外壁部（42）との間に、断熱空間（45）を形成し易くすることができる。
【００５７】
また、本実施形態では、内壁部（41）と外壁部（42）とをネジ（43）でまとめて固定するようにした。これにより、パネル（40）の取付性を向上させることができる。
【００５８】
また、本実施形態では、断熱空間（45）内（特に、内壁部（41）の断熱空間（45）側の面）で結露した水を回収する回収部（51）を設けるようにした。これにより、ケーシング（10）内の冷熱が内壁部（41）へ伝達され、内壁部（41）の断熱空間（45）側の面が結露しても、その結露水が流れ落ちてパネル（40）の外（ケーシング（10）の外）へ流出するのを防ぐことができる。
【００５９】
〈変形例〉
上記実施形態では、パネル（40）の内壁部（41）と外壁部（42）とが、断熱空間（45）によって断熱されている。しかし、内壁部（41）と外壁部（42）とを断熱する形態はこれに限らず、例えば、図７に示すように、断熱空間（45）にグラスウール等の断熱材（49）を設けるようにしても構わない。これにより、内壁部（41）と外壁部（42）との間の断熱能力を高くして、外壁部（42）の外面（パネル（40）の外面）の結露をより確実に防止することができる。
【００６０】
また、従来のように、パネル（40）の内面にグラスウール等の断熱材を設けると、ファン（35）の吸引力によって断熱材が剥れ易くなり、断熱材が剥がれて断熱能力が低下するだけでなく、剥がれた断熱材をファン（35）が吸い込んで破損する虞があった。しかし、本変形例のように、断熱材（49）をパネル（40）の内面に設ける代わりに断熱空間（45）に設けることによって、断熱材（49）の剥離を回避することができ、断熱材（49）の剥離による断熱能力の低下とファン（35）の破損を防止することができる。
【００６１】
《その他の実施形態》
上記実施形態では、ケーシング（10）内に、冷媒回路（30）全体が収容されている。しかし、空調装置（1）の構成はこれに限らず、ケーシング（10）内に少なくとも蒸発器（34）が収容されて、ケーシング（10）内の空気が冷却されるものであれば、他の構成でも構わない。
【００６２】
また、上記実施形態では、ネジ（43）によって、パネル（40）がフレーム（12）に固定されている。しかし、パネル（40）の固定方法はこれに限らず、接着剤や粘着テープ等によって、パネル（40）をフレーム（12）に固定しても構わない。
【００６３】
また、上記実施形態では、パネル（40）の内壁部（41）と外壁部（42）とが別体に形成されているが、図８に示すように、内壁部（41）と外壁部（42）とを一体に形成しても構わない。
【産業上の利用可能性】
【００６４】
本発明は、冷媒回路を備え、冷却した空気を室内へ供給する空調装置について有用である。
【符号の説明】
【００６５】
１      空調装置
１０      ケーシング
１２      フレーム
３０      冷媒回路
３４      蒸発器
４０      パネル
４１      内壁部
４２ｃ    取付部
４２      外壁部
４３      ネジ
４５      断熱空間
４８      挿入孔
４９      断熱材
５１      回収部
【図１】
2014129981.tif 000003
【図２】
2014129981.tif 000004
【図３】
2014129981.tif 000005
【図４】
2014129981.tif 000006
【図５】
2014129981.tif 000007
【図６】
2014129981.tif 000008
【図７】
2014129981.tif 000009
【図８】
2014129981.tif 000010
【図９】
2014129981.tif 000011